(57)【要約】【課題】  複数の記録体を幅方向に並列に収容可能で、複数の記録体底面支持部材と複数の記録体昇降手段とを用いて１種類の記録体を支持する状態で、複数の記録体昇降手段のうちの一つに異常が生じても記録体を給紙することができる給紙カセット、並びにこれを備えた給紙装置及び画像形成装置を提供する。【解決手段】  第１底板３２ａは隣り合う第３底板３２ｃに対して、また第２底板３２ｂは第３底板３２ｃに対して連結または連結解除することで、Ａ２サイズの記録体Ｐを一体とした底板で押し上げる。【選択図】  図５
2006213488.tif 000002
【特許請求の範囲】
【請求項１】
記録体の給送方向に対して直角な幅方向に収容された複数束の該記録体を並列に収容可能であり、
該幅方向に並列に配置され、該記録体の束の底面を支持する複数の記録体底面支持部材と、
該記録体底面支持部材を押し上げ、該記録体の最上部を給送可能な位置まで上昇させる複数の記録体昇降手段とを有する給紙カセットにおいて、
該記録体底面支持部材は隣り合う該記録体底面支持部材に対して連結または連結解除することで、一体で押し上げられる該記録体底面支持部材の幅を、収容する該記録体の幅に適した幅に調節可能であることを特徴とする給紙カセット。
【請求項２】
請求項１の給紙カセットにおいて、
上記記録体底面支持部材を３つ以上備え、複数の該記録体底面支持部材には上記昇降手段を備えていないものがあり、該昇降手段を備えていない該記録体底面支持部材は、該昇降手段を備えた該記録体底面支持部材と連結または連結解除が可能であることを特徴とする給紙装置。
【請求項３】
請求項１の給紙装置において、
全ての上記記録体底面支持部材は上記昇降手段を備えていることを特徴とする給紙カセット。
【請求項４】
請求項１、２または３の給紙カセットにおいて、
上記記録体底面支持部材は、上記記録体の束の幅方向端部を仕切り、支持する仕切り部材の位置を、該記録体の幅に応じて変更可能なサイドフェンスの役割を有することを特徴とする給紙カセット。
【請求項５】
画像形成部に給送する記録体を収容する給紙カセットと、
該給紙カセット内の最上位の該記録体を給送する記録体給送部材とを有し、
複数枚の該記録体を並列に給送可能な給紙装置において、
該給紙カセットとして請求項１、２、３または４の給紙カセットを用いることを特徴とする給紙装置。
【請求項６】
請求項５の給紙装置において、
該記録体給送部材の幅方向の位置を該記録体の幅方向中央部の位置に応じて、移動可能とすることを特徴とする給紙装置。
【請求項７】
積載された複数束の記録体を該記録体の給送方向に垂直な幅方向に並列に収容可能であり、
該記録体の束の幅方向端部を仕切り、支持する仕切り部材の位置を、収容する該記録体の幅に応じて変更可能である給紙カセットと、
該給紙カセット内の最上位の該記録体を給送する記録体給送部材とを有し、
複数の搬送路に該記録体を並列に給送可能な給紙装置において、
該記録体の幅方向中央部の位置に応じて、該記録体給送部材の幅方向の位置を移動可能であることを特徴とする給紙装置。
【請求項８】
像担持体と、該像担持体上にトナー像を形成する画像形成手段と、
積載されたシート束から最上位の記録体から給紙する給紙手段と、
該給紙手段により給紙された該記録体に該担持体上のトナー像を転写する転写手段と、
該転写手段により該記録体上に形成されたトナー像を該記録体上に定着する定着手段とを有し、
記録体搬送方向に垂直な幅方向に複数枚の記録体を並べて搬送する並列搬送が可能であり、且つ該並列搬送される複数枚の記録体に画像形成が可能な画像形成装置において、
該給紙手段として請求項６または７に記載の給紙装置を用いることを特徴とする画像形成装置。
【発明の詳細な説明】
【技術分野】
【０００１】
本発明は、複写機、ファックス、プリンタ等に用いられる給紙カセット並びにこれを備えた給紙装置及び画像形成装置に係り、詳しくは複数枚の記録体を並列に搬送可能な搬送経路に、複数の記録体を並列に給紙することができる給紙カセット並びにこれを備えた給紙装置及び画像形成装置関するものである。
【背景技術】
【０００２】
複写機、プリンタ等の画像形成装置では、画像データに基づいて感光体上に潜像を形成し、この潜像を現像手段によりトナー像化し、このトナー像を転写手段で記録体に転写し、定着手段で定着することで記録体上に画像形成を行う。
従来、画像形成装置の高速化の要請から、潜像形成を速めるために感光体の回転速度の高速化、記録体を搬送する搬送速度を高速化などによって、画像形成プロセスの高速化がなされてきた。しかし、画像形成の精度を維持する上で感光体の回転速度の高速化には限界があり、記録体のハンドリングの面から搬送速度の高速化にも限界がある。
【０００３】
より短時間で多くの記録体に画像形成が可能な構成として、特許文献１及び特許文献２に開示されているように、記録体搬送方向に対して垂直な方向に複数枚の記録体を並べて搬送する並列搬送を用いて、並列搬送される記録体に画像を形成する並列搬送型の画像形成装置が知られている。
このような画像形成装置では、１枚分の画像形成動作で２枚以上の記録体に画像形成が可能であるため、感光体の回転速度や記録体の搬送速度に無理なく、多くの記録体への画像形成が可能となる。
【０００４】
並列搬送型の画像形成装置の給紙装置としては、並列搬送に合わせて複数の記録体を１つの給紙カセット内に並列で収納しておき、これを同時に供給する方式が多く示されている。
特許文献１では、２つの記録体の束の並列に収容可能で、２つの記録体の束の底面をそれぞれ支持する記録体底面支持部材である２つの複写紙載置台と、２つの複写紙載置台の間で２つの記録体の束を仕切る仕切板とを有し、この仕切板が２つの記録体の束を仕切る位置から、退避する位置に移動可能な給紙装置が開示されている。これは、仕切板が２つの束を仕切る状態で２枚の記録体を並列で給紙することが可能となり、仕切板を退避する位置に移動した状態で複写紙載置台２つ分の収容スペースを確保でき、Ａ３などの大きな記録体１枚を給紙することができるようになる。
特許文献２では、２つの記録体の束の並列に収容可能で、２つの束の底面をそれぞれ支持する記録体底面支持部材である２つの用紙圧接板と、２つの用紙圧接板の間で２つの記録体の束を仕切る仕切板とを有し、仕切板と２つの用紙圧接板とが幅方向に可動式である給紙装置が開示されている。この仕切版と２つの用紙圧接板とが幅方向に移動することで収納する記録体のサイズをさまざまに変更することができるようになる。
【０００５】
【特許文献１】特開平１０−３２４４２９号公報
【特許文献２】特開平１０−２６９２０号公報
【発明の開示】
【発明が解決しようとする課題】
【０００６】
しかしながら、特許文献２に記載の給紙装置では、Ａ３サイズの記録体のように一つの用紙圧接板の最大幅よりも大きな幅の記録体を収容する際には、大サイズの用紙を単独で収納するタイプの給紙カセットを別途用意していた。
一方、特許文献１に記載の給紙装置では、Ａ３サイズの記録体のように１つの複写紙載置台の幅よりも大きな記録体を収容する際には、仕切り板を外して、記録体を２つの複写紙載置台で支持し、２つの複写紙載置台が同じ高さになるように制御するものである。しかし、それぞれの複写紙載置台が個別に昇降制御されているため、何れか一方の昇降機構に異常が生じた場合１つの複写紙載置台で支持できる大きさより大きな記録体を給紙することができなかった。具体的には、一方の昇降機構が動かなくなった場合は、残りの一方のみしか昇降できないため、一つの複写紙載置台で支持できる大きさの記録紙しか給紙できない状態となる。
【０００７】
また、特許文献２に記載の給紙装置では、仕切り板と２つの用紙圧接板とが幅方向に移動することで、収納する記録体のサイズをさまざまに変更することができる。しかし、どのようなサイズの記録体を用い場合でも、記録体給送部材であるピックアップローラの位置は同じであった。記録体の大きさによって記録体の幅方向中央部の位置が異なるにも関わらず、同じ位置でピックアップローラを作動させると、ピックアップローラによる給送方向への力が記録体の中心と異なる位置に加わり、記録体がスキュー方向に回転が生じてしまう恐れがあった。記録体がスキュー方向に回転したまま、給紙されるとジャムや画像ズレなどの問題の原因となる。
【０００８】
本発明は、以上の問題に鑑みなされたものであり、その第１の目的とするところは、複数の記録体を幅方向に並列に収容可能で、複数の記録体底面支持部材と複数の記録体昇降手段とを用いて１種類の記録体を支持する状態で、複数の記録体昇降手段のうちの一つに異常が生じても記録体を給紙することができる給紙カセット並びにこれを用いた給紙装置及び画像形成装置を提供することである。
また、第２の目的とするところは、複数の記録体を幅方向に並列に収容可能で、収納する記録体のサイズを変更しても、安定して給紙することができる給紙装置、及びこれを備えた画像形成装置を提供することである。
【課題を解決するための手段】
【０００９】
上記目的を達成するために、請求項１の発明は、記録体の給送方向に対して直角な幅方向に収容された複数束の該記録体を並列に収容可能であり、該幅方向に並列に配置され、該記録体の束の底面を支持する複数の記録体底面支持部材と、該記録体底面支持部材を押し上げ、該記録体の最上部を給送可能な位置まで上昇させる複数の記録体昇降手段とを有する給紙カセットにおいて、該記録体底面支持部材は隣り合う該記録体底面支持部材に対して連結または連結解除することで、一体で押し上げられる該記録体底面支持部材の幅を、収容する該記録体の幅に適した幅に調節可能であることを特徴とするものである。
また、請求項２の発明は、請求項１の給紙カセットにおいて、上記記録体底面支持部材を３つ以上備え、複数の該記録体底面支持部材には上記昇降手段を備えていないものがあり、該昇降手段を備えていない該記録体底面支持部材は、該昇降手段を備えた該記録体底面支持部材と連結または連結解除が可能であることを特徴とするものである。
また、請求項３の発明は、請求項１の給紙装置において、全ての上記記録体底面支持部材は上記昇降手段を備えていることを特徴とするものである。
また、請求項４の発明は、請求項１、２または３の給紙カセットにおいて、上記記録体底面支持部材は、上記記録体の束の幅方向端部を仕切り、支持する仕切り部材の位置を、該記録体の幅に応じて変更可能なサイドフェンスの役割を有することを特徴とするものである。
また、請求項５の発明は、画像形成部に給送する記録体を収容する給紙カセットと、該給紙カセット内の最上位の該記録体を給送する記録体給送部材とを有し、複数枚の該記録体を並列に給送可能な給紙装置において、該給紙カセットとして請求項１、２、３または４の給紙カセットを用いることを特徴とするものである。
また、請求項６の発明は、請求項５の給紙装置において、該記録体給送部材の幅方向の位置を該記録体の幅方向中央部の位置に応じて、移動可能とすることを特徴とするものである。
また、請求項７の発明は、積載された複数束の記録体を該記録体の給送方向に垂直な幅方向に並列に収容可能であり、該記録体の束の幅方向端部を仕切り、支持する仕切り部材の位置を、収容する該記録体の幅に応じて変更可能である給紙カセットと、該給紙カセット内の最上位の該記録体を給送する記録体給送部材とを有し、複数の搬送路に該記録体を並列に給送可能な給紙装置において、該記録体の幅方向中央部の位置に応じて、該記録体給送部材の幅方向の位置を移動可能であることを特徴とするものである。
また、請求項８の発明は、像担持体と、該像担持体上にトナー像を形成する画像形成手段と、積載されたシート束から最上位の記録体から給紙する給紙手段と、該給紙手段により給紙された該記録体に該担持体上のトナー像を転写する転写手段と、該転写手段により該記録体上に形成されたトナー像を該記録体上に定着する定着手段とを有し、記録体搬送方向に垂直な幅方向に複数枚の記録体を並べて搬送する並列搬送が可能であり、且つ該並列搬送される複数枚の記録体に画像形成が可能な画像形成装置において、該給紙手段として請求項６または７に記載の給紙装置を用いることを特徴とするものである。      
【００１０】
上記請求項１、２、３、４、５、６または８の給紙カセットにおいては、記録体底面支持部材は隣り合う記録体底面支持部材に対して連結または連結解除することができるので、一体で押し上げられる記録体底面支持部材の幅を収容する記録体の幅に適した幅に調節可能である。複数の記録体底面支持部材と複数の昇降手段を用いて一種類の記録体を支持するときに、一種類の記録体を支持する複数の記録体底面支持部材は一体で押し上がるため、昇降手段の一つに異常が生じても、故障していない昇降手段からの力によって記録体も押し上げることができる。
請求項７または８の給紙装置においては、記録体の幅方向中央部の位置に応じて記録体給送部材の幅方向の位置を移動可能であるので、記録体給送部材からの給送方向の力が記録体の幅方向中央部に加わるように調節することができる。
【発明の効果】
【００１１】
請求項１、２、３、４、５、６または８の発明によれば、複数の記録体底面支持部材と複数の記録体昇降手段とを用いて１種類の記録体を支持する状態で、複数の記録体昇降手段のうちの一つに異常が生じても、故障していない他の昇降手段からの力によって、記録体を持ち上げることができ、給紙することができるという優れた効果がある。
請求項７または８の発明によれば、給送方向の力が記録体の幅方向中央部に加わるように調節することで、収納する記録体のサイズを変更しても、記録体がスキュー方向に回転しなくなり、安定して給紙することができるという優れた効果がある。
【発明を実施するための最良の形態】
【００１２】
以下、本発明をカラー画像形成装置に適用した実施形態について説明する。
図１は本実施形態に係るカラー画像形成装置であるプリンタ１００の概略構成図である。このプリンタ１００は、外部から入力される画像情報に基づいて画像情報をシートとしての記録体Ｐ上に印刷するものである。また、このプリンタ１００に画像読み取り部を設け、原稿を走査して読み取り、デジタル化して記録体Ｐに複写するデジタルカラー複写機としての機能や、原稿の画像情報を遠隔地と送受信するファクシミリの機能も有する構成としてもよい。
【００１３】
図１において、プリンタ１００の略中央に画像形成部２が設けられている。この画像形成部２の下方には、多段状の給紙装置３が配置されている。この給紙装置３の各段には、記録体Ｐである普通紙やＯＨＰシートなどの記録体束を積載した記録体収容部としての第１給紙カセット３１ａ〜第４給紙カセット３１ｄが配設されている。また、プリンタ１００の右側には給紙装置３とは別に外部から記録体Ｐを給紙できる手差し部１０が設けられている。さらに画像形成部の右側には、給紙装置３や手差し部１０からの記録体Ｐを画像形成部２に供給する記録体供給部５がある。画像形成部２の左側には定着装置４、反転排紙切換部９、排紙部８があり、排紙部８の外部には画像が形成された記録体Ｐを排紙収納するための排紙収納部５０が配設されている。さらに、画像形成部２と給紙装置３との間には、反転装置６及び再給送路７が配設されている。
【００１４】
画像形成部２には、４色のトナー像を個別に形成するための各色の作像部６０が、記録体搬送部材として無端移動するの記録体搬送ベルト６１の外周面に対向するように並列に配置されている。各作像部６０は、像担持体としてのドラム状の感光体を備えている。各感光体の周囲には、帯電装置、現像装置及びクリーニング装置が配置されている。帯電装置は感光体の表面を一様に帯電する帯電処理を行う。現像装置は、感光体の表面に露光されて形成された静電潜像を可視化する。クリーニング装置は感光体に残留するトナーを除去回収する。また、図示は省略しているが各作像部６０の上方には、画像情報に基づいて各色の感光体の表面にレーザ光で照射する露光装置を設ける。
【００１５】
次に、プリンタ１００の作像プロセスについて説明する。図１において、各作像部６０では、周知の電子写真プロセスにより、各感光体上に所定のタイミングで４色のトナー像が形成される。
一方、各作像部６０でのトナー像の画像形成動作を行いながら、給紙装置３の選択された給紙カセットから記録体Ｐが順次１枚ずつ分離給紙される。すなわち、図示の給紙装置３においては、第１給紙カセット３１ａに揺動可能に支持された載置台としての押し上げ部材２３上に記録体Ｐ１の記録体束が積載されている。この昇降手段と底板との揺動により記録体束の最上位の記録体Ｐ１がピックアップローラ３８に当接可能な位置まで上昇する。この最上位の記録体Ｐ１は、ピックアップローラ３８の回転により給送されて、給紙ローラ２１及びリバースローラ２０により１枚に分離される。そして、１枚に分離された最上位の記録体は、記録体搬送手段としての搬送ローラ１９の回転により給送され、共通搬送路１７へと搬送される。そして、その搬送経路下流側に配置されているレジストローラ対１１対へと搬送される。
【００１６】
上述のようにして分離搬送された記録体Ｐ１は、レジストローラ対１１のニップに突き当たることにより搬送が一時止められて待機される。なお、ここで必要に応じて不図示の紙種検知センサによって記録体Ｐ１はその透過率を測定される。レジストローラ対１１は、各作像部６０のトナー像と、記録体Ｐ１の先端との位置関係が所定の位置になるよう、タイミングをとって回転を開始するように制御される。このレジストローラ対１１の回転により、待機されているシートが再び給紙される。給紙された記録体Ｐ１は記録体搬送ベルト６１により搬送され、各作像部６０よりトナー像の転写を受け、その表面にフルカラートナー像が形成される。
【００１７】
このようにしてフルカラートナー像が転写された記録体Ｐ１は、その搬送経路の下流側の定着装置４に搬送される。この定着装置４は、画像形成部２で記録体Ｐ１上に転写されたフルカラートナー像を記録体Ｐ１上に定着する。フルカラートナー像が定着された記録体は、排紙部８により排紙収納部５０に排紙収納される。
ここで、記録体Ｐ１の両面に画像形成を行う際は、反転排紙切換部９で切換えられ、反転装置６を経由させることによりスイッチバックして反転され、再給送路７を通って、再び給紙される。この表裏が反転された記録体は、再び給紙され、裏面に画像形成部２で画像を転写され、定着装置４で画像を定着され、反転排紙切換部９、排紙部８を通って排紙され、片面への画像形成時と同様にして裏面への画像形成が行われる。
上述の説明では、第１給紙カセット３１ａに収容される記録体Ｐ１への作像プロセスについて説明したが、第２給紙カセット３１ｂ、第３給紙カセット３１ｃ及び第４給紙カセット３１ｄに収容される記録体Ｐ２〜Ｐ４についても同様の作像プロセスイよって画像形成が行われる。
また、プリンタ１００は、記録体Ｐの搬送方向に対して垂直な幅方向に複数枚の記録体Ｐを並べて搬送する並列搬送を行うことができる。Ａ２やＡ３などサイズが大きい記録体Ｐにも画像形成が可能なプリンタで、使用頻度が高いＡ４やＢ５といったサイズを使用いていると、記録体Ｐの搬送方向の幅方向には使用されないデッドスペースが存在することになる。幅方向に複数枚の記録体Ｐを並べて搬送し、画像形成が可能であれば、幅方向のデッドスペースを少なくすることができる。さらに、複数枚を同時に画像形成かのうであるので、多くの記録体Ｐに画像形成を行う場合には時間の短縮につながる。
【００１８】
次に、本発明の特徴部である給紙装置３についてより詳しく説明する。
図２は本発明の特徴部を有する給紙カセット３１の斜視図である。本発明の特徴部は第１給紙カセット３１ａ〜第４給紙カセット３１ｄの何れの給紙カセットにも適用可能である。以下、ａ〜ｄの表記を省略して給紙カセット３１と示す。図中矢印Ａ方向が図１における手前側になり、矢印Ａ方向に引き出すことで、記録体Ｐの補給、収容する記録体Ｐの変更等ができる。
給紙カセット３１は、仕切り部材としてのサイドフェンス３３に仕切られた、記録体底面支持部材として第１底板３２ａ及び第２底板３２ｂを備えている。載置する記録体Ｐの後端を支持するエンドフェンスとしては、第１底板３２ａが第１エンドフェンス３５ａを、第２底板３２ｂが第２エンドフェンス３５ｂをそれぞれ備えている。
記録体底面支持部材を押し上げる記録体昇降手段としては、不図示の上昇モータより回転する支持棒と、支持棒の回転により記録体底面支持部材を押し上げる上昇板とからなる。第１底板３２ａの昇降手段は第１支持棒３６ａ及び第１上昇板３７ａからなり、第２底板３２ｂの昇降手段は第２支持棒３６ｂ及び第２上昇板３７ｂからなる。
また、第１底板３２ａと第２底板３２ｂとの間には、３つ目の記録体支持部材である第３底板３２ｃが備わっている。第３底板３２ｃは、第１底板３２ａ及び第２底板３２ｂに対して連結または連結解除が可能であり、連結することにより他の記録体支持部材と一体で押し上げられる構成である。図２では第３底板３２ｃは第１底板３２ａと連結しており、第１上昇板３７ａに第１底板３２ａが押し上げられると第３底板３２ｃは連結している第１底板３２ａと一体で押し上げられる。
また、給紙カセット３１の給紙方向側の端部には、第１底板３２ａ及び第２底板３２ｂのそれぞれに載置された記録体Ｐの束の最上位から一枚ずつ給送する記録体給送部材としての第１ピックアップローラ３８ａと第２ピックアップローラ３８ｂとを備えている。
以下、第１底板３２ａに載置する記録体Ｐを第１記録体Ｐａ、第２底板３２ｂに載置する記録体Ｐを第２記録体Ｐｂとよぶ。
【００１９】
図３は第１底板３２ａ及び第２底板３２ｂの昇降制御の説明図である。
昇降制御としては、第１支持棒３６ａ及び第２支持棒３６ｂのそれぞれの上昇モータによって、第１底板３２ａ及び第２底板３２ｂについてそれぞれ制御される。各々の上昇モータに連結した第１支持棒３６ａ及び第２支持棒３６ｂが回転することにより、第１上昇板３７ａ及び第２上昇板３７ｂが第１支持棒３６ａ及び第２支持棒３６ｂを軸に角度がつく。第１上昇板３７ａ及び第２上昇板３７ｂに角度がつくと第１底板３２ａ及び第２底板３２ｂが押し上げられ、上昇する機構となっている。
第１底板３２ａ及び第２底板３２ｂに各サイズの第１記録体Ｐａ及び第２記録体Ｐｂの束を積載したとき、各々の昇降手段によって第１ピックアップローラ３８ａ及び第２ピックアップローラ３８ｂによって給送される位置までそれぞれの記録体Ｐの束を上昇させる。これにより、第１底板３２ａ及び第２底板３２ｂは各々の積載した第１記録体Ｐａ及び第２記録体Ｐｂの束の高さを制御でき、それぞれの記録体Ｐを各々独立したタイミングで繰り出すことができる。
【００２０】
記録体給送手段としての第１ピックアップローラ３８ａ及び第２ピックアップローラ３８ｂは、不図示のメインモータの駆動力で回転し、その回転制御は給紙クラッチの接続を制御することによってなされる。第１ピックアップローラ３８ａは第１給紙クラッチ３９ａによって、第２ピックアップローラ３８ｂは第２給紙クラッチ３９ｂによってそれぞれ回転制御がなされる。第１給紙クラッチ３９ａ及び第２給紙クラッチ３９ｂの接続を制御することによって、給紙カセット３１に収容された各々の各サイズの記録体Ｐとしての第１記録体Ｐ１と第２記録体Ｐ２とをそれぞれ独立したタイミングで繰り出すことができる。
【００２１】
なお、詳細は後述するが給紙カセット３１は、収容する記録体の大きさを変更可能な構成である。給紙カセット３１に収納された各々の各サイズの記録体Ｐをそれぞれ繰り出す際、第１ピックアップローラ３８ａ及び第２ピックアップローラ３８ｂからの給紙方向の力が働く位置が各サイズの記録体Ｐの中央部分でなく、中央部からずれた位置に力が働くと記録体Ｐを繰り出すときの左右の圧の違いにより、記録体Ｐはスキュー方向に回転し、斜め送りに搬送されてしまうおそれがある。その様な斜め送りを防止し、記録体Ｐを確実に搬送する為に、第１ピックアップローラ３８ａ及び第２ピックアップローラ３８ｂが回転軸の方向に、つまり記録体Ｐの幅方向に平行移動可能な機構が備えられている。第１ピックアップローラ３８ａ及び第２ピックアップローラ３８ｂの位置を各サイズの記録体Ｐの中央部分付近まで平行移動することで、各サイズの転写紙中央部分からピックアップできる様になる。
また、第１底板３２ａ、第２底板３２ｂ及び第３底板３２ｃの全てを連結して載置するような、サイズが大きい記録体Ｐを給送する場合には、第１ピックアップローラ３８ａ及び第２ピックアップローラ３８ｂのそれぞれの位置が記録紙Ｐの幅方向の中央部分から等距離になるように設定する。
【００２２】
次に、収容する記録体Ｐの大きさに合わせた第１底板３２ａ、第２底板３２ｂ及び第３底板３２ｃの仕切りについて説明する。
図４は、収容する記録体ＰがＡ２サイズであるときの給紙カセット３１を示す。
給紙カセット３１では、サイドフェンスは各底板が備えており、それぞれのサイドフェンス開くことで仕切り部材として作用し、閉めることで仕切りをなくすことができる。第１底板３２ａには第３底板３２ｃとの間に２つの第１サイドフェンス３３ａを備えている。第２底板３２ｂには第３底板３２ｃとの間に２つの第２サイドフェンス３３ｂを備えている。また、第３底板３２ｃには第１底板３２ａとの間に２つの第３サイドフェンス３３ｃを備え、第２底板３２ｂとの間に２つの第４サイドフェンス３３ｄを備えている。
また、第３底板３２ｃには第１底板３２ａとの間を連結または連結解除する２つの第１仕切りロック３４ａを備えており、第２底板３２ｂとの間を連結または連結解除する２つの第２仕切りロック３４ｂを備えている。さらに、第１底板３２ａは仕切り固定棒３４ｃを備えている。仕切り固定棒３４ｃは通常、第１底板３２ａに設けた不図示の孔部に収められており、第３底板３２ｃや第２底板３２ｂの孔部に通すことにより、底板同士を連結することができる。また、必要に応じて第１底板３２ａの孔部に通さず、第３底板３２ｃ及び第２底板３２ｂの孔部にのみ通す状態にしてもよい。
【００２３】
Ａ２サイズを載置する場合は、サイドフェンスは全て閉め、全ての仕切りロック及び仕切り固定棒３４ｃを連結状態にして、第１エンドフェンス３５ａ及び第２エンドフェンス３５ｂはＡ２サイズの後端の位置に合わせて設ける。
このように、Ａ２サイズの給紙を行う際には第１底板３２ａ、第２底板３２ｂ及び第３底板３２ｃを全て連結した状態で上昇させる。
図５は、第１底板３２ａ、第２底板３２ｂ及び第３底板３２ｃの全てを連結した状態での昇降制御の説明図である。
昇降制御としては、全て繋げた状態の底板を均一に上昇させる為、第１底板３２ａ及び第２底板３２ｂが同じ角度となるように第１上昇板３７ａ及び第２上昇板３７ｂの上昇角度を各々の上昇モータで調整して上昇する制御となっている。このとき、第３底板３２ｃは、第１底板３２ａ及び第２底板３２ｂに連結されており、第１底板３２ａ及び第２底板３２ｂとともに上昇する。
【００２４】
また、昇降制御としては、上述のように第１上昇板３７ａ及び第２上昇板３７ｂをともに上昇角度を調節するものに限らず、どちらか一方のみの上昇角度を調節してもよい。例えば、第２上昇板３７ｂの上昇角度を調節する上昇モータは停止させ、第１上昇板の上昇角度を調節する上昇モータによってのみ制御する。第２底板３２ｂは第３底板３２ｃ及び仕切り固定棒３４ｃを介して、第１底板３２ａと連結しているので、第１上昇板３７ａによって第１底板３２ａを上昇させることで第１底板３２ａ、第２底板３２ｂ及び第３底板３２ｃを一体で上昇させることができる。
底板をそれぞれ個別に制御し上昇させると、制御のずれによって底板の高さにずれが生じ、記録体の底面にも段差が生じる恐れがある。給紙カセット３１では一体で上昇させることで、高い位置に押し上げられている底板と同じ高さになり、制御のずれが生じても記録体Ｐの底面に段差が生じることがない。
なお、第１ピックアップローラ３８ａ及び第２ピックアップローラ３８ｂの軸方向の位置は、Ａ２サイズの記録紙Ｐの幅方向の中央から等距離に設定されている。そして、第１給紙クラッチ３９ａと第２給紙クラッチ３９ｂとを同じタイミングで接続し、第１ピックアップローラ３８ａ及び第２ピックアップローラ３８ｂを同じタイミングで回転させることでＡ２サイズの転写紙を繰り出す。
【００２５】
図６は、２束のＡ４サイズを第１記録体Ｐａ及び第２記録体Ｐｂとして載置するときの給紙カセット３１の概略図である。
２束のＡ４サイズを載置する場合は、第１仕切りロック３４ａは解除して第１底板３２ａと第３底板３２ｃとの連結を解除する。第２仕切りロック３４ｂは連結状態にしてあり、仕切り固定棒３４ｃは第２底板３２ｂ及び第３底板３２ｃの孔部に通すことで第２底板３２ｂと第３底板３２ｃとを連結させる。サイドフェンスについては、第１サイドフェンス３３ａと第３サイドフェンス３３ｃを開いて、第１底板３２ａ上のＡ４サイズの第１記録体Ｐａと第２底板３２ｂ及び第３底板３２ｃの上に載置されるＡ４サイズの第２記録体Ｐｂとの間を仕切る仕切り板とする。第２サイドフェンス３３ｂ及び第４サイドフェンス３３ｄは閉めた状態にして、第２底板３２ｂと第３底板３２ｃとの上面にＡ２サイズの第２記録体Ｐｂを載せることができる載置面を形成する。そして、第１エンドフェンス３５ａ及び第２エンドフェンス３５ｂはＡ４サイズの後端の位置に合わせるように設置する。
【００２６】
図７は、２束のＡ４サイズを第１記録体Ｐａ及び第２記録体Ｐｂを載置した時の昇降制御の説明図である。
昇降制御としては、第１記録体Ｐａと第２記録体Ｐｂとの消費量の違いによって、第１記録体Ｐａの束の底面を持ち上げる高さと、第２記録体Ｐｂの束の底面を持ち上げる高さとは異なる。よって、各々の底板に対して第１上昇板３７ａと第２上昇板３７ｂとの上昇角度を各々の上昇モータを別々制御する。このとき、第３底板３２ｃは第２底板３２ｂに連結されており、第２底板３２ｂと一体的に上昇する。第１上昇板３７ａを備えた昇降手段は第１底板３２ａを昇降制御し、第２上昇板３７ｂを備えた昇降手段は第２底板３２ｂと第３底板３２ｃとを昇降制御している。このように。第３底板３２ｃを昇降制御する昇降手段を設けなくても、３枚の底板を用いて載置する記録体Ｐのサイズにあわせたレイアウトにする給紙カセットの昇降制御を底板の数よりも少ない２つの昇降手段で行うことができる。
なお、第１ピックアップローラ３８ａ及び第２ピックアップローラ３８ｂの軸方向の位置は、それぞれのＡ４サイズの記録紙Ｐ１及びＰ２の幅方向の中央部をピックアップする位置に設定されている。そして、第１給紙クラッチ３９ａと第２給紙クラッチ３９ｂとをそれぞれ異なるタイミングで接続することができ、第１記録体Ｐａと第２記録体Ｐｂとの給紙をそれぞれ独立した制御を行うことができる。
【００２７】
図８は、第１記録体ＰａとしてＡ３サイズを収容し、第２記録体ＰｂとしてＡ５サイズを収容するときの給紙カセット３１の概略図である。
Ａ３サイズの第１記録体Ｐａを収容するために第１仕切りロック３４ａを連結状態にして、仕切り固定棒３４ｃは第１底板３２ａ及び第３底板３２ｃの孔部に通すようにするころで、第１底板３２ａと第３底板３２ｃとを連結させる。第２仕切りロック３４ｂは解除して第２底板３２ｂと第３底板３２ｃとの連結を解除する。サイドフェンスについては、第１サイドフェンス３３ａ及び第３サイドフェンス３３ｃは閉じた状態にして、第１底板３２ａと第３底板３２ｃとの上面にＡ３サイズに第１記録体Ｐａを載せることができる載置面を形成する。また、第２サイドフェンス３３ｂ及び第４サイドフェンス３３ｄは開いて、第２底板３２ｂ上のＡ５サイズの第２記録体Ｐｂと第１底板３２ａ及び第３底板３２ｃの上に載置されるＡ３サイズの第１記録体Ｐａとの間を仕切る仕切り板とする。そして、第１エンドフェンス３５ａはＡ３サイズの後端の位置に合わせ、第２エンドフェンス３５ｂはＡ５サイズの後端の位置に合わせるように設置する。
【００２８】
Ａ３サイズとＡ５サイズとを収容する際の昇降制御を示す図は先に用いた図３である
昇降制御としては、第１記録体Ｐａと第２記録体Ｐｂとの消費量の違いによって、第１記録体Ｐａの束の底面を持ち上げる高さと、第２記録体Ｐｂの束の底面を持ち上げる高さとは異なる。よって、各々の底板に対して第１上昇板３７ａと第２上昇板３７ｂとの上昇角度を各々の上昇モータ別々制御する。このとき、第３底板３２ｃは第１底板３２ａに連結されており、第１底板３２ａと一体的に上昇する。第２上昇板３７ｂを備えた昇降手段は第２底板３２ｂを昇降制御し、第１上昇板３７ａを備えた昇降手段は第１底板３２ａと第３底板３２ｃとを昇降制御している。
このように、第３底板３２ｃを昇降制御する昇降手段を設けなくても、３枚の底板を用いて載置する記録体Ｐのサイズにあわせたレイアウトにする給紙カセットの昇降制御を底板の数よりも少ない２つの昇降手段で行うことができる。
【００２９】
なお、第１ピックアップローラ３８ａはＡ３サイズの第１記録体Ｐａの幅方向の中心をピックアップするように、また、第２ピックアップローラ３８ｂはＡ５サイズの第２記録体Ｐｂの幅方向の中心をピックアップするように、それぞれ軸方向に平行移動する。上述の第１記録体Ｐａ及び第２記録体ＰｂがともにＡ４サイズである状態からレイアウトを変更する場合は、図に示すように、第１ピックアップローラ３８ａ及び第２ピックアップローラ３８ｂともに図中矢印Ｂ方向に平行移動させる。
そして、第１給紙クラッチ３９ａと第２給紙クラッチ３９ｂとをそれぞれ異なるタイミングで接続することができ、第１記録体Ｐａと第２記録体Ｐｂとの給紙をそれぞれ独立した制御を行うことができる。
【００３０】
図９は第１サイドフェンス３３ａの拡大説明図である。図９に示すように、第１底板３２ａには第１サイドフェンス３３ａが収まる形状の凹部を設けている。第１サイドフェンス３３ａは図９に示した状態が開いた状態であり、第１底板３２ａ上に載置された第１記録体Ｐａの束の幅方向を支持する。また、図９の状態から矢印Ｃ方向に倒した状態が閉じた状態であり、第１底板３２ａの幅よりも広い記録体Ｐａを載置するために第３底板３２ｃと連結する際に、第１サイドフェンス３３ａを閉じることで記録体Ｐａを載置可能となり載置面が形成される。
第２サイドフェンス３３ｂ、第３サイドフェンス３３ｃ及び第４サイドフェンス３３ｄも第１サイドフェンス３３ａと同一の機構である。
仕切り部材としては底板に設けるものに限らず、取り外し可能なものを必要に応じて適切な位置に設置するものでもよい。しかし、取り外し可能なものを用いると、Ａ２サイズのように給紙カセットの全体を用いる場合、給紙カセットには仕切り部材を設置する場所がないので、取り外す必要があり、紛失の恐れがある。一方、給紙カセット３１のように底板が仕切り部材を備えていれば、Ａ２サイズを用いる時には、仕切り部材を閉めておけばよいので、紛失の恐れがなくなる。
【００３１】
図１０は第１仕切りロック３４ａの拡大説明図である。図１０に示すように、第１底板３２ａ及び第３底板３２ｃには第１仕切りロック３４ａが収まる形状の凹部を設けている。また、第３底板３２ｃ側の凹部にはロック回転軸４１によって第１仕切りロック３４ａが取り付けられている。一方、第１底板３２ａ側の凹部には連結時に第１仕切りロック３４ａを引っ掛けるロックピン４０が設けてある。図に示すように、第１仕切りロック３４ａがロックピン４０に引っ掛かった状態が、第１底板３２ａと第３底板３２ｃとのが連結された状態である。この状態うから、第１仕切りロック３４ａを図中矢印Ｄ方向に回転させることで連結が解除された状態となる。また、第２仕切りロック３４ｂも第１仕切りロック３４ａと同じ構造である。
このような仕切りロックを備えた構成により、記録体Ｐの大きさに応じて、複数の底板同士を連結したり、連結を解除したりすることができ、さまざまなサイズの記録体Ｐを支持することが可能となる。
【００３２】
次に、給紙カセット３１を用いた給紙に対応した画像形成について説明する。給紙カセット３１の給紙の種類としては、以下のように分けることができる。
一つ目は、通常の給紙装置と同様に記録体Ｐを一枚だけ給紙する通常給紙モードである。
２つ目は、２束の記録体Ｐを並列に収容した状態で、２枚の記録体Ｐの先端を揃えて並列に給紙する同時並列給紙モードである。
３つ目は、２束の記録体Ｐを並列に収容した状態で、２枚の記録体Ｐを給紙するタイミングがお互いに独立して並列に給紙する独立並列給紙モードである。
通常給紙モードについては上述のプリンタ１００での作像プロセスの説明の給紙と同じなので説明は省略する。なお、通常給紙モードとしては給紙カセットにＡ２サイズのように大きなサイズのものを１束収容し一枚ずつ給紙するものに限らず、並列に二束収容した状態で一枚ずつ給紙するものにも適用することができる。
【００３３】
同時並列給紙モードについて説明する。
図１１は同時並列給紙モードにおける作像タイミングの説明図である。図１１（ａ）は第１記録体Ｐａ及び第２記録体ＰｂともにＡ４サイズのように、並列して給紙される２つの記録体Ｐが同じサイズである場合を示す。図１１（ｂ）は、第１記録体ＰａがＡ３サイズ、第２記録体ＰｂがＡ５サイズのように異なるサイズを給紙する場合を示す。
【００３４】
図１１（ａ）について、図中Ｉ１〜Ｉ４は感光体上に形成される潜像を示し、第１画像Ｉ１及び第３画像Ｉ３は、現像後、第１記録体Ｐａ上に形成される画像であり、第２画像Ｉ２及び第４画像Ｉ４は、現像後、第２記録体Ｐｂ上に形成される画像である。第１画像Ｉ１と第２画像Ｉ２の作像開始タイミング（図中Ｔ１）、第１画像Ｉ１と第２画像Ｉ２の作像終了タイミング（図中Ｔ２）、第３画像Ｉ３と第４画像Ｉ４の作像開始タイミング（図中Ｔ３）が全て同時である。
第１ピックアップローラ３８ａ及び第２ピックアップローラ３８ｂによって同時に給紙がなされた第１記録体Ｐａ及び第２記録体Ｐｂは、共通搬送経路１７を通ってレジストローラ対１１に突き当たる。そして、レジストローラ対１１の回転によって、Ｔ１やＴ３のタイミングで感光体上に形成された画像の先端に合わせて画像形成部に記録体Ｐを搬送する。これにより、第１記録体Ｐａ及び第２記録体Ｐｂに並列に画像形成がなされる。
【００３５】
図１１（ｂ）について、図１１（ａ）と同様に、図中Ｉ１〜Ｉ４は感光体上に形成される潜像を示し、第１画像Ｉ１及び第３画像Ｉ３は、現像後、第１記録体Ｐａ上に形成される画像であり、第２画像Ｉ２及び第４画像Ｉ４は、現像後、第２記録体Ｐｂ上に形成される画像である。第１画像Ｉ１の作像終了タイミングＴ２ａと第２画像Ｉ２の作像終了タイミングＴ２ｂとは異なり、また、第１画像Ｉ１の作像終了タイミングＴ４ａと第２画像Ｉ２の作像終了タイミングＴ４ｂとも異なる。しかし、第１画像Ｉ１と第２画像Ｉ２の作像開始タイミング（図中Ｔ１）及び第３画像Ｉ３と第４画像Ｉ４の作像開始タイミング（図中Ｔ３）は一致する。
並列搬送がなされる２つの記録体Ｐの先端部が一致しているので、図１１（ａ）で説明したものと同様に、レジストローラ対１１の回転によって、Ｔ１やＴ３のタイミングで感光体上に形成された画像の先端に合わせて画像形成部に記録体Ｐを搬送する。これにより、サイズが異なる第１記録体Ｐａ及び第２記録体Ｐｂに並列に画像形成がなされる。
【００３６】
しかし、図１１（ｂ）のようなサイズが異なる記録体Ｐを並列搬送する場合は、図１１（ｂ）に示すように搬送方向に長い画像に合わせて画像を形成する。図１１中のＴ２ｂとＴ２ａとの時間差、Ｔ４ｂとＴ４ａとの時間差のように長さが短い記録体Ｐ側の画像形成には時間的なロスが生じる。
【００３７】
このようにサイズが異なる記録体Ｐを経列に給紙し、画像形成する場合には独立並列給紙モードが有用である。以下、独立並列給紙モードについて説明する。
図１２は独立並列給紙モードにおける作像タイミングの説明図である。図１２に示すように、第１画像Ｉ１の作像開始タイミング（図中Ｔ１ａ）と第２画像Ｉ２の作像開始タイミング（図中Ｔ１ｂ）とが異なり、第１画像Ｉ１の作像終了タイミング（図中Ｔ２ａ）と第２画像Ｉ２の作像終了タイミング（図中Ｔ２ｂ）とも異なる。さらに、第３画像Ｉ３と第４画像Ｉ４についても作像開始タイミング、作像終了タイミングともに異なる。
【００３８】
並列搬送がなされる２つの記録体Ｐの先端部が一致しないので、一方がレジストローラ対１１に達したタイミングで並列搬送されるもう一方が、レジストローラ対１１を通過途中であるという状態となることがある。よって、記録体Ｐの先端と画像の先端とのタイミングを一致させるために、同時並列給紙モードのようにレジストローラ対１１を用いてタイミングを取ることができない。
給紙カセット３１は第１ピックアップローラ３８ａ及び第２ピックアップローラ３８ｂの下流側、且つ共通搬送経路１７に達するまでの間に、第１記録体Ｐａ及び第２記録体Ｐｂそれぞれの通過を検知する不図示の給紙センサを備えている。
【００３９】
第１記録体Ｐａが給紙センサにより検知されると、検知センサによる検知位置から記録体Ｐへの転写位置までの記録体Ｐが到達するタイミングと、各色の作像部６０で形成されたトナー像が記録体Ｐへの転写位置に到達するタイミング一致するように、画像Ｉ１及び画像Ｉ３が形成される。
第２記録体Ｐｂについても、第１記録体Ｐａ第２記録体Ｐｂが転写位置に到達するタイミングに合わせて、画像Ｉ２及び画像Ｉ４が作像される。
このように、第１記録体Ｐａ及び第２記録体Ｐｂに転写される画像をそれぞれの検知センサの検知に基づいて形成されるため、記録体Ｐの先端と画像の先端とのタイミングを一致させることができる。
サイズが異なる第１記録体Ｐａと第２記録体Ｐｂとをそれぞれ独立したタイミングで給紙し、画像形成することにより、画像サイズが異なることによる時間的ロスが生じることを防止できる。
【００４０】
なお、給紙カセット３１のように、記録体Ｐを並列に収容することができるので、使用できる最大サイズに合わせた大きさとなっている給紙カセットに小さなサイズの記録体Ｐを収容することによる給紙カセットにおける無駄な空間の有効活用を行うことができる。また、複数種の記録体Ｐを一つの給紙カセット内に収容することができるので、同じ数の種類の記録体Ｐを収容するために、必要な給紙カセットの数が少なくなり、プリンタ１００の小型化が可能になる。
【００４１】
以上、本実施形態によれば、給紙カセット３１は、一体で押し上げられる記録体底面支持部材としての底板の幅を、収容する記録体Ｐの幅に適した幅に調節可能であるの、さまざまな種類の記録体Ｐを収容し、給紙することができる。さらに第１底板３２ａ、第２底板３２ｂ及び第３底板３２ｃすべてを連結して、Ａ２サイズの記録体Ｐを収容する場合、３つの底板は連結して一体となっているため、または第２底板３２ｂと第３底板３２ｃとを第１仕切りロック３４ａや第２仕切りロック３４ｂで連結または連結解除することで底板の大きさの調節を行っているので、第１上昇板３７ａを有する昇降手段、または第２上昇板３７ｂを有する昇降手段の何れかが故障して使用できなくなっても、もう一方の昇降手段を作動させることで３つの底板を同時に押し上げることができ、Ａ２サイズの記録体Ｐの給紙が可能となる。
また、昇降手段を有さない第３底板３２ｃに対して、昇降手段を有する第１底板３２ａ及び第２底板３２ｂが連結及び連結解除が可能となっているので、昇降手段を有する底板と連結することにより、昇降手段を有さない第３底板３２ｃを押し上げることができので、分離できる底板の数よりも少ない昇降手段によって記録紙のサイズにあわせた幅の底板を押し上げることができる。
また、第１底板３２ａ、第２底板３２ｂ及び第３底板３２ｃがそれぞれサイドフェンスを有しているので、サイドフェンスを取り外すことによるサイドフェンスの紛失の恐れがなくなる。
また、記録体給送部材である第１ピックアップローラ３８ａ及び第２ピックアップローラ３８ｂの幅方向の位置を収容する記録体Ｐの幅方向中央部の位置に応じて移動可能であるので、記録体Ｐの中央部にピックアップローラからの力を加えることができるので、給送するピックアップローラがスキュー方向に回転することがなく、安定した記録体Ｐの給紙を行うことができる。
【００４２】
［変形例］
実施形態１では、第１底板３２ａの昇降手段として第１支持棒３６ａ及び第１上昇板３７ａ、第２底板３２ｂの昇降手段として第２支持棒３６ｂ及び第２上昇板３７ｂを備えているが、第３底板３２ｃは昇降手段を有していない。
以下、第３底板３２ｃに昇降手段を備えた変形例について説明する。なお、第３底板３２ｃに昇降手段を設けた点以外は実施形態１と共通するので、共通する点について説明を省略する。
図１３は変形例１の給紙カセット３１を示す斜視図であり、図１４は第１底板３２ａ、第２底板３２ｂ及び第３底板３２ｃの昇降制御の説明図である。第３底板３２ｃに昇降手段としての第３支持棒３６ｃ及び第３上昇板３７ｃを備える点で図２と異なる。
【００４３】
図１３はＡ３サイズの第１記録体Ｐａの束を載置する第１底板３２ａと第３底板３２ｃとを連結した底板と、Ａ５サイズの第２記録体Ｐｂの束を載置する第２底板３２ｂのみとがそれぞれ昇降制御を行う構成である。Ａ３サイズの第１記録体Ｐａを載置する底板は第１支持棒３６ａ及び第１上昇板３７ａを備えた昇降手段と、第３支持棒３６ｃ及び第３上昇板３７ｃを備えた昇降手段とによって、昇降制御がなされる。また、Ａ５サイズの第２記録体Ｐｂの束を載置する底板は第２支持棒３６ｂ及び第２上昇板３７ｂを備えた昇降手段によって昇降制御がなされる。
また、Ａ２サイズの記録体Ｐの束を載置する場合には、第１底板３２ａ、第２底板３２ｂ及び第３底板３２ｃを連結して一体とし、第１支持棒３６ａ及び第１上昇板３７ａを備えた昇降手段と、第３支持棒３６ｃ及び第３上昇板３７ｃを備えた昇降手段と、第２支持棒３６ｂ及び第２上昇板３７ｂを備えた昇降手段とによって昇降制御がなされる。
なお、昇降制御を行う昇降手段としては、３つの昇降手段全てを用いるものに限らず、何れか一つまたは、２つのの昇降手段を用いて昇降制御を行ってもよい。
【図面の簡単な説明】
【００４４】
【図１】本発明の実施の形態に係るプリンタの概略図。
【図２】給紙カセットの斜視図。
【図３】底板の昇降制御の説明図。
【図４】収容する記録体がＡ２サイズである時の給紙カセットの概略図。
【図５】収容する記録体がＡ２サイズである時の底板の昇降制御の説明図。
【図６】収容する記録体が２束のＡ４サイズである時の給紙カセットの概略図。
【図７】収容する記録体が２束のＡ４サイズである時の底板の昇降制御の説明図。
【図８】収容する記録体がＡ３サイズとＡ５サイズである時の給紙カセットの概略図。
【図９】サイドフェンスの説明図。
【図１０】仕切ロックの説明図。
【図１１】同時並列給紙モードにおける作像タイミングの説明図、（ａ）は画像の大きさが同サイズである場合、（ｂ）は画像の大きさが異なる場合。
【図１２】独立並列給紙モードにおける作像タイミングの説明図。
【図１３】変形例１に係る給紙カセットの斜視図。
【図１４】変形例１に係る給紙カセットの底板の昇降制御の説明図。
【符号の説明】
【００４５】
２      画像形成部
３      給紙装置
４      定着装置
５      記録体供給部
６      反転装置
７      再給送路
８      排紙部
９      反転排紙切換部
１０    手差し部
１１    レジストローラ対
１９    搬送ローラ
２０    リバースローラ
２１    給紙ローラ
３１    給紙カセット
３２ａ  第１底板
３２ｂ  第２底板
３２ｃ  第３底板
３３ａ  第１サイドフェンス
３３ｂ  第２サイドフェンス
３３ｃ  第３サイドフェンス
３３ｄ  第４サイドフェンス
３４ａ  第１仕切りロック
３４ｂ  第２仕切りロック
３４ｃ  仕切り固定棒
３５ａ  第１エンドフェンス
３５ｂ  第２エンドフェンス
３６ａ  第１支持棒
３６ｂ  第２支持棒
３６ｃ  第３支持棒
３７ａ  第１上昇板
３７ｂ  第２上昇板
３７ｃ  第３上昇板
３８    ピックアップローラ
３８ａ  第１ピックアップローラ
３８ｂ  第２ピックアップローラ
３９ａ  第１給紙クラッチ
３９ｂ  第２給紙クラッチ
４０    ロックピン
４１    ロック回転軸
６０    作像部
６１    記録体搬送ベルト
１００  プリンタ
【図１】
2006213488.tif 000003
【図２】
2006213488.tif 000004
【図３】
2006213488.tif 000005
【図４】
2006213488.tif 000006
【図５】
2006213488.tif 000007
【図６】
2006213488.tif 000008
【図７】
2006213488.tif 000009
【図８】
2006213488.tif 000010
【図９】
2006213488.tif 000011
【図１０】
2006213488.tif 000012
【図１１】
2006213488.tif 000013
【図１２】
2006213488.tif 000014
【図１３】
2006213488.tif 000015
【図１４】
2006213488.tif 000016